(57)【要約】      （修正有）【課題】竹製の履物を紐で連結して、両手を自由に使える歩行具を提供する。【解決手段】紅白の神事用手綱両端末から２本の紐を出し、竹を任意の長さで輪切りにしてそれを縦に半分に割り一対と成し、その割竹４は側面逆Ｕ字状で各々の中心線の上面に２個の孔を穿ち、手綱端末から出した紐を締め付け用の根付３を介して割竹のそれぞれの穴を通して裏側で下駄の鼻緒状に結ぶ、根付と竹との間は逆Ｖ字状をなし、紅白の手綱の任意の位置に１個以上の鈴をつけた歩行具とする。また手綱１の中央部分にゴム紐９を逆Ｕ字状に取りつけ、使用者の首に掛けられるようにする。【選択図】図１
0003147290.tif 000002
【実用新案登録請求の範囲】
【請求項１】
紅白の神事用手綱両端末から２本の紐を出し、竹を任意の長さで輪切りにしてそれを縦に半分に割り一対と成し、その割竹は側面逆Ｕ字状で各々の中心線の上面に２個の孔を穿ち、手綱端末から出した紐を締め付け用の根付を介して割竹のそれぞれの穴を通して裏側で下駄の鼻緒状に結び、根付と竹との間は逆Ｖ字状をなし、紅白の手綱の任意の位置に１個以上の鈴をつけた歩行具。
【請求項２】
紅白の神事用手綱両端末から２本の紐を出し、竹を任意の長さで輪切りにした筒状のもの２個で一対と成し、手綱端末から出した紐は締め付け用の根付を介して筒状の竹の左右側面に穴を穿ちそれぞれの穴を通して内側で下駄の鼻緒状に結び、根付と筒状の竹上面との間は逆Ｖ字状をなし、紅白の手綱の任意の位置に１個以上の鈴をつけた歩行具。
【請求項３】
紅白の神事用手綱の手持ち部近くに首に掛けるゴム紐を付けた請求項１及び請求項２記載の歩行具。
【考案の詳細な説明】
【技術分野】
【０００１】  本考案は竹製の履物を紅白の紐で連結した祭礼用の歩行具に関する。
【背景技術】
【０００２】  任意の長さに輪切りにした筒状の竹の脚部の上に卵型の台板を固着し、脚部の上部両即に穴を明けて紐を通して垂直に引き起こして台板に穴を明け、その穴を通した紐を台板の上方で結び部を形成し、紐を更に延長してその端部を結び部として形成した歩行遊戯具がある。（例示は特許文献１）【特許文献１】実開昭４７−３１８８１  （図１）
【考案の開示】
【考案が解決しようとする課題】
【０００３】  前述の特許文献１の歩行遊戯具は、任意の長さに輪切りにした筒状の竹の脚部の上に木製の台板を固着した物でいわば下駄の足部が輪切りにした竹である、又、取り付けた紐は足を上げた時、歩行具が脱げないように手で引き上げる事にのみ必要であり、鈴は馬蹄の音と共に鈴の音を出すだけで停止時は鳴らす事が出来ない、踏み面が平面の下駄状のものは竹を使いながら土踏まずの湧泉を刺激する竹踏みの健康効果は望めない、鈴は停止時に自由に鳴らせない、紐を持つ両手は自由に使えない、そしてチャグチャグ馬コ神事に積極的に係わりたい。
【課題を解決するための手段】
【０００４】    本考案は滝沢村から盛岡に至るチャグチャグ馬コの祭礼に関与する紅白の手綱を用いた事と、使用者の足裏の土踏まず特に湧泉付近を刺激して健康に寄与する事と、歩行、足踏みを停止中でも手の動きで鈴を鳴らす事が出来る事と、手綱に首に掛けるゴム紐を付け両手を自由に使えることを、次の手段で解決した。【０００５】  請求項１に述べた、紅白の神事用手綱両端末から２本の紐を出し、竹を任意の長さで輪切りにしてそれを縦に半分に割り一対と成し、その割竹は側面逆Ｕ字状で各々の中心線の上面に２個の孔を穿ち、手綱端末から出した紐を締め付け用の根付を介して割竹のそれぞれの穴を通して裏側で下駄の鼻緒状に結び、根付と竹上面との間は逆Ｖ字状をなし、紅白の手綱の任意の位置に１個以上の鈴をつけた歩行具とした。【０００６】  請求項２に述べた、紅白の神事用手綱両端末から２本の紐を出し、竹を任意の長さで輪切りにした筒状のもの２個で一対と成し、手綱端末から出した紐は締め付け用の根付を介して筒状の竹の左右側面に穴を穿ちそれぞれの穴を通して内側で下駄の鼻緒状に結び、根付と筒状の竹上面との間は逆Ｖ字状をなし、紅白の手綱の任意の位置に１個以上の鈴をつけた歩行具とした。【０００７】  請求項３に述べた、紅白の神事用手綱の手持ち部近くに首に掛けるゴム紐を付けた請求項１及び請求項２記載の歩行具とした。
【効果】
【０００８】  本考案は岩手県滝沢村と盛岡市の間のチャグチャグ馬コの神事に大きく関与する物で、竹によって発する馬蹄の擬音効果と、鈴の音で、祭りのムードを益々盛り上げ、土産物等にも珍重されて各地に広まり、該地域、地方、及び、祭りの宣伝効果も極めて大であると共に、土産として持ち帰っての使用にも両手が自由に使える事で、炊事や洗濯などをしながらでも、土踏まずの湧泉刺激で運動不足解消、ダイエット効果等、竹踏み効果による健康増進が大いに望める。
【実施例】
【０００８】  実施例１は、図１で説明する。紅白の２本の紐を撚った手綱１は、左右の端末で結び玉２を作り、その先の撚りを解して紅紐５、白紐６の２本として根付３を通す。竹は任意の長さで輪切りにし、それを縦に半分に割り一対の割竹４と成し、その割竹４の上面中心線上に足、靴の乗せられる幅に合わせて孔Ｂ、孔Ｃの２個の穴を穿ち、それぞれに紅紐５白紐６を通して結び目７で結ぶ。すると根付３と割竹４の上面と紅紐５白紐６の間に逆Ｖ字状の三角型空間Ａが出来、その空間へ素足でも、又はスリッパ、ズック靴等を履いたままでも良いから差し入れて歩行具として履く事が出来る。そして根付３を足の甲の上に押し下げて簡単には脱げないように保持出来る、しかし根付３は構造上有る程度の外力が掛かれば上に押し上げられて足から歩行具は外れる。鈴８は細い紐を付け先端に瘤を作り、手綱１の任意位置の撚りを緩めて差し込み撚りを戻す、この様にして任意の数の鈴８を手綱１に結ぶ、使用者が持つ手綱１の近辺に、ゴム紐９を逆Ｕ字状に鈴と同じ方法で取り付けて使用者の首から掛けると、両手は自由に使う事が出来る。【０００９】  実施例２は、図２で説明する、紅白の神事用手綱両端末から２本の紐を出し、竹を任意の長さで輪切りにした筒状のもの２個で一対と成し、手綱端末から出した紐は締め付け用の根付を介して筒状の竹の左右側面に穴を穿ちそれぞれの穴を通して内側で下駄の鼻緒状に結び、根付と筒状の竹上面との間は逆Ｖ字状をなし、紅白の手綱の任意の位置に１個以上の鈴をつけた歩行具で、使用方法は上述実施例１と同様の使い方で割竹４の部分が輪切りにした一対の筒状の竹１１と置き換わり、筒状の竹１１の各々の左右に設けた孔Ｅ及び孔Ｄに、紅白の手綱１の先を解した紅紐５白紐６は根付け３を介して孔Ｅと孔Ｄを通して内側で結ぶ。すると根付３と筒状の竹１１の上面と紅紐５白紐６の間に逆Ｖ字状の三角型空間Ａが出来、その空間へ素足でも、又はスリッパ、ズック靴等を履いたままでも良いから差し入れて歩行具として履く事が出来る。そして根付３を足の甲の上に押し下げて簡単には脱げないように保持出来る、しかし根付３は構造上有る程度の外力が掛かれば上に押し上げられて足から歩行具は外れる。鈴８は細い紐を付け先端に瘤を作り、手綱１の任意位置の撚りを緩めて差し込み撚りを戻す、この様にして任意の数の鈴８を手綱１に結ぶ、使用者が持つ手綱１の近辺に、ゴム紐９を逆Ｕ字状に鈴と同じ方法で取り付けて使用者の首から掛けると、両手は自由に使う事が出来る。
【図面の簡単な説明】
【００１０】
【図１】は本考案の請求項１の斜視図で、左側の割竹４，の一部を中心線で断面した図である。根付３を少し押し下げ、割竹４の下面で紅紐５と白紐６を結んだ図。
【図２】は本考案の請求項２の斜視図で、一対の筒状の竹１１の両側面に紅紐５と白紐６の通し穴を設け、各々の筒状の竹１１の内側で紅紐５と白紐６を結んだ図。
【符号の説明】
【００１１】１  手綱２  手綱結び目３  根付４  割竹５  紅紐６  白紐７  紅紐、白紐の結び目８  鈴９  ゴム紐１１  筒状の竹Ａ  根付３、割竹４、及び筒竹１１と、紅紐５、白紐６に囲まれた三角形空間Ｂ  割竹４の白紐孔Ｃ  割竹４の紅紐孔Ｄ  筒竹１１の白紐孔Ｅ  筒竹１１の紅紐孔
【図１】
0003147290.tif 000003
【図２】
0003147290.tif 000004